(57)【特許請求の範囲】
【請求項１】
主物品を収納するケース本体にヒンジを介して蓋体が取り付けられているスーツケースにおいて、
前記蓋体の外面に、内方へ窪むとともに副物品を収納する凹部が形成され、
この凹部を、開閉可能な透光性カバーで塞ぎ、
この透光性カバーの裏面に、光を電気に変換する光電素子が設けられていることを特徴とするスーツケース。
【請求項２】
前記蓋体は、正面部と、この正面部の上縁から前記ケース本体へ延びる上部延長部とを有し、
前記凹部は、前記正面部及び前記上部延長部に連続して形成されていることを特徴とする請求項１記載のスーツケース。
【請求項３】
前記凹部は、底面から外方に突出するようにリブを備えていることを特徴とする請求項１又は請求項２記載のスーツケース。
【請求項４】
前記透光性カバーは、前記蓋体にサブヒンジを介して設けられていることを特徴とする請求項１〜３のいずれか１項記載のスーツケース。
【請求項５】
前記透光性カバーの外周に、スライドファスナーが設けられ、このスライドファスナーによって開閉されることを特徴とする請求項１〜４のいずれか１項記載のスーツケース。
【請求項６】
前記透光性カバーの裏面に、前記光電素子を収納するポケットが設けられていることを特徴とする請求項１〜５のいずれか１項記載のスーツケース。
【請求項７】
前記ポケットは、前記透光性カバー及びこの透光性カバーの裏面に設けられた補強部材とによって構成され、前記光電素子は、腰が弱いフィルム又はシート状素子であり、前記ポケットに差し込まれて前記補強部材に支持されることを特徴とする請求項６記載のスーツケース。
【請求項８】
前記補強部材のうち前記凹部に対向する面に、前記副物品を保持する保持ネットが設けられていることを特徴とする請求項７記載のスーツケース。
【発明の詳細な説明】
【技術分野】
【０００１】
本発明は、ビジネスや旅行等で持ち運ぶスーツケースに関し、特に、発電装置を備えたスーツケースに関するものである。
【背景技術】
【０００２】
近年、ノートパソコン、タブレット、スマートフォン等の携帯端末や、電気かみそり等の電化製品の発達により、旅先に携帯端末や電化製品を持ち運ぶ機会が増えている。旅先では充電設備のあるホテル等で、携帯端末や電化製品を充電できれば問題ないが、僻地など充電設備が整っていない地域への旅行では、充電に苦労することがある。
【０００３】
一方、旅行では荷物の持ち運びに鞄やスーツケースを使用することが多い。このため、鞄やスーツケースに発電装置を収納して持ち運び、この発電装置で携帯端末等を充電すればよいが、充電の度に鞄やスーツケースから発電装置を出しているのでは不便である。発電装置を鞄やスーツケースから出さなくても充電できれば便利である。このような発電装置を備えた鞄が知られている（例えば、特許文献１（図２、図３）参照。）。
【０００４】
この特許文献１に示される鞄は、荷物を収納する箱状の収納部と、この収納部の外面に設けられた取っ手ユニットと、ソーラーパネルとからなる。取っ手ユニットは、手で握る取っ手と、取っ手の下方で且つ収納部の外面にソーラーパネルを保持する枠部とを有する。収納部の外面にソーラーパネルを配置し、その上からソーラーパネルの縁を枠部で押さえ、ねじで枠部を収納部に締結することでソーラーパネルが収納部の外面に保持される。
【０００５】
ソーラーパネルは、枠部内側の開口から光を受けて発電することができる。しかし、ソーラーパネルは、枠部内側の開口から剥き出しのため、傷つき易く、平積みが不可能となる。また、ソーラーパネルを保持するための専用部品である枠部を、収納部の外面に設けるので、外観性の点で改善の余地がある。さらに、傷等によりソーラーパネルを交換する場合に、ねじの締結を外してから取っ手ユニットを取り外す必要があり、手間が掛かる。そこで、ソーラーパネルが傷つくことを防止するとともに外観性を向上させ、ソーラーパネルのメンテナンスも容易にできる鞄やスーツケースが求められている。
【先行技術文献】
【特許文献】
【０００６】
【特許文献１】実用新案登録第３１５０７０９号公報
【発明の概要】
【発明が解決しようとする課題】
【０００７】
本発明は、ソーラーパネルと呼ばれる光電素子が傷つくことを防止するとともに外観性を向上させ、光電素子のメンテナンスも容易にできるスーツケースを提供することを課題とする。
【課題を解決するための手段】
【０００８】
請求項１に係る発明では、主物品を収納するケース本体にヒンジを介して蓋体が取り付けられているスーツケースにおいて、前記蓋体の外面に、内方へ窪むとともに副物品を収納する凹部が形成され、この凹部を、開閉可能な透光性カバーで塞ぎ、この透光性カバーの裏面に、光を電気に変換する光電素子が設けられていることを特徴とする。
【０００９】
請求項２に係る発明では、蓋体は、正面部と、この正面部の上縁からケース本体へ延びる上部延長部とを有し、凹部は、正面部及び上部延長部に連続して形成されていることを特徴とする。
【００１０】
請求項３に係る発明では、凹部は、底面から外方に突出するようにリブを備えていることを特徴とする。
【００１１】
請求項４に係る発明では、透光性カバーは、蓋体にサブヒンジを介して設けられていることを特徴とする。
【００１２】
請求項５に係る発明では、透光性カバーの外周に、スライドファスナーが設けられ、このスライドファスナーによって開閉されることを特徴とする。
【００１３】
請求項６に係る発明では、透光性カバーの裏面に、光電素子を収納するポケットが設けられていることを特徴とする。
【００１４】
請求項７に係る発明では、ポケットは、透光性カバー及びこの透光性カバーの裏面に設けられた補強部材とによって構成され、光電素子は、腰が弱いフィルム又はシート状素子であり、ポケットに差し込まれて補強部材に支持されることを特徴とする。
【００１５】
請求項８に係る発明は、補強部材のうち凹部に対向する面に、副物品を保持する保持ネットが設けられていることを特徴とする。
【発明の効果】
【００１６】
請求項１に係る発明では、主物品を収納するケース本体にヒンジを介して蓋体が取り付けられているスーツケースにおいて、蓋体の外面に、内方へ窪むとともに副物品を収納する凹部が形成されている。凹部を、開閉可能な透光性カバーで塞ぎ、この透光性カバーの裏面に、光を電気に変換する光電素子が設けられているので、透光性カバーによって光電素子が傷つくことを防止できる。結果、旅行の際、飛行機の積荷としてスーツケースが平積みされても、光電素子を保護することができる。
【００１７】
加えて、光電素子を透光性カバーで覆うので、スーツケースの外観性を向上させることができる。さらに、開閉可能な透光性カバーを開けることで、光電素子を取り外すことができ、光電素子のメンテナンスを容易にできる。
【００１８】
請求項２に係る発明では、蓋体は、正面部と、この正面部の上縁からケース本体へ延びる上部延長部とを有する。凹部は、蓋体の正面部及び上部延長部に連続して形成されているので、透光性カバーの面積を広くし、光電素子の受光面積を広くすることができる。
【００１９】
請求項３に係る発明では、凹部は、底面から外方に突出するようにリブを備えているので、凹部の剛性を向上させることができる。加えて、リブによって凹部を区画するように仕切り、複数の副物品を分けて収納することができる。
【００２０】
請求項４に係る発明では、透光性カバーは、蓋体にサブヒンジを介して設けられているので、透光性カバーを容易に開閉でき、光電素子のメンテナンス性を向上することができる。
【００２１】
請求項５に係る発明では、透光性カバーの外周に、スライドファスナーが設けられているので、スライドファスナーを閉めることで、外部から凹部内に汚れが浸入することを防止し、光電素子に汚れが付着することを防ぐことができる。
【００２２】
請求項６に係る発明では、透光性カバーの裏面に、光電素子を収納するポケットが設けられているので、光電素子を容易に装着することができる。
【００２３】
請求項７に係る発明では、光電素子は、腰が弱いフィルム又はシート状素子である。フィルム又はシート状の光電素子であっても、ポケットに差し込むことで補強部材によって支持することができる。
【００２４】
請求項８に係る発明では、補強部材のうち凹部に対向する面に、副物品を保持する保持ネットが設けられているので、複数の副物品保持ネットに入れるとで、複数の副物品をバラバラにせずにまとめて収納することができる。
【図面の簡単な説明】
【００２５】
【図１】本発明に係るスーツケース（透光性カバーは開いている。）の斜視図である。
【図２】図１の要部断面図である。
【図３】本発明に係るスーツケースの斜視図である。
【図４】図３の要部断面図である。
【図５】透光性カバーの正面図である。
【図６】透光性カバーと光電素子と補強部材の相関を示す図である。
【図７】透光性カバーの作用図である。
【図８】光電素子を差し入れる手順を説明する図である。
【発明を実施するための形態】
【００２６】
本発明の実施の形態を添付図に基づいて以下に説明する。なお、図面は符号の向きに見るものとする。
【実施例】
【００２７】
先ず、本発明の実施例を図面に基づいて説明する。
図１に示されるように、スーツケース１０は、衣類などの主物品を収納するケース本体１１と、このケース本体１１に図示せぬヒンジを介して開閉可能に取り付けられた蓋体１２と、ケース本体１１に設けられた引出可能に伸縮取っ手１３と、ケース本体１１及び蓋体１２に設けられたキャスター１４とを備えている。
【００２８】
キャスター１４の取付位置をケース本体１１及び蓋体１２の下部とした場合に、伸縮取っ手１３はケース本体１１の背面上部に位置しており、伸縮取っ手１３を引き出し、手で把持することで、スーツケース１０を牽引移動させることができる。また、キャスター１４を地面や床に設置することで、スーツケース１０を自立させることができる。
【００２９】
ケース本体１１の上部には、伸縮取っ手１３とは別に、持ち運び用の上部把持部１５が、揺動可能、起伏又は引出可能に設けられている。さらに、ケース本体１１におけるヒンジの反対側の側部には、持ち運び用の側部把持部１６が揺動可能、起伏又は引出可能に設けられている。なお、上部把持部１５の形状及び側部把持部１６の形状は、実施例の形状に限定されず、固定式であってもよく、手で把持することができれば、他の一般的な取っ手の形状であっても差し支えない。また、側部把持部１６は、無くても差し支えない。
【００３０】
また、蓋体１２の外面１７に、内方へ窪むとともに携帯端末などの副物品を収納する凹部２１が形成されており、この凹部２１は、開閉可能な透光性カバー３１で塞がれている。透光性カバー３１は、蓋体１２に布製のサブヒンジ２２を介して開閉可能に設けられている。
【００３１】
なお、実施例では、サブヒンジ２２を布製としたが、これに限定されず、樹脂製、金属性等でもよく、透光性カバー３１を開閉することができれば、材質、構成はいずれであっても差し支えない。さらには、凹部２１を塞ぐ透光性カバー３１を開閉できれば、サブヒンジ３１がなくても差し支えない。
【００３２】
透光性カバー３１の外周には、スライドファスナー４１が設けられており、このスライドファスナー４１によって透光性カバー３１の外周が開閉される。また、凹部２１と透光性カバー３１とに布製のストッパー３１ａが設けられており、ストッパー３１ａによって透光性カバー３１の開きが所定の位置で規制される。なお、実施例では、ストッパ−３１ａを帯状の部材としたが、これに限定されず、プリーツ等であっても差し支えない。また、ストッパー３１ａは取り外し可能であり、ストッパー３１ａを取り外すことで、透光性カバー３１を大きく開くことができる。
【００３３】
次に凹部２１の形状及び透光性カバー３１の取付構造について説明する。
図１、図２に示されるように、蓋体１２はシェル状に形成されており、下部１２ａと、この下部１２ａから立ち上がる正面部１２ｂと、この正面部１２ｂの上縁１２ｃからケース本体１１へ延びる上部延長部１２ｄとを有する。
【００３４】
凹部２１は、蓋体１２の正面部１２ｂ及び上部延長部１２ｄに連続して形成されており、底面２３と、この底面２３の上縁２４からケース本体１１へ延びる底面延長部２５と、この底面延長部２５の周縁及び底面２３の周縁から外面１７まで延びる側壁２６と、底面２３から外方に突出するように形成されるリブ２７とを有する。
【００３５】
透光性カバー３１は、凹部２１の底面２３に対向するカバー正面部３２と、このカバー正面部３２の上部に形成されるカバー湾曲部３３と、このカバー湾曲部３３からケース本体１１へ延びるカバー延長部３４とを有する。
【００３６】
スライドファスナー４１は、第１テープ４２と、この第１テープ４２に先端に設けられる複数の第１エレメント４３と、第２テープ４４と、この第２テープ４４の先端に設けられる複数の第２エレメント４５と、この第２エレメント４５と第１エレメント４３を噛み合わせるスライダ４６とからなる。
【００３７】
透光性カバー３１の外周部には、断面Ｕ字状の第１ファスナー枠３５が設けられており、この第１ファスナー枠３５に第１テープ４２が配置され、第１ファスナー枠３５及び第１テープ４２が共に透光性カバー３１の外周部に縫い付けられている。
【００３８】
また、凹部２１の縁には、断面Ｔ字状の第２ファスナー枠３６が設けられている。この第２ファスナー枠３６に第２テープ４４が縫い付けられ、第２ファスナー枠３６は、複数の締結部材３７で凹部２１の縁に締結されている。
【００３９】
次に透光性カバー３１を閉じた状態を説明する。
図３に示されるように、スライドファスナー４１を閉めて、透光性カバー３１を閉じた状態にすると、蓋体１２の外面１７に対して透光性カバー３１が面一の状態となる。このため、外観性を向上させるとともに、移動時に透光性カバー３１が障害物等に引っ掛かりにくくなり、容易にスーツケース１０を持ち運ぶことができる。なお、実施例では、透光性カバー３１を閉じた状態において、蓋体１２の外面１７に対して透光性カバー３１が面一の状態としたが、これに限定されず、蓋体１２の外面１７に対して透光性カバー３１の面が外方に突出する形状や、蓋体１２の外面１７に対して透光性カバー３１の面が内方に窪む形状にしても差し支えない。
【００４０】
また、透光性カバー３１は、蓋体１２の正面部１２ｂから上部延長部１２ｄまで延びるように形成されており、受光面積を広くすることができる。このため、詳細は後述するが、透光性カバー３１の裏面に配置される光電素子５１の受光面積も広くすることができる。キャスター１４を地面に設置し、スーツケース１０を立てた状態であっても、透光性カバー３１のカバー延長部３４から光を取り入れることができる。
【００４１】
また、蓋体１２の色は、光電素子５１の色と同色である。透光性カバー３１は光を遮らないようにするために、透明であることが好ましく、光電素子５１の色が透光性カバー３１の色となる。このため、蓋体１２の色を光電素子５１の色と同色にすることで、透光性カバー３１と蓋体１２とを一体的にし、透光性カバー３１を通して見える光電素子５１と蓋体１２に一体感も持たせて外観性を向上させることができる。なお、透光性カバー３１は、透明であることが好ましいが、これに限定されず、光を通すことができれば、半透明であっても、差し支えない。
【００４２】
次に透光性カバー３１の光電素子支持構造について説明する。
図４、図５に示されるように、透光性カバー３１の裏面３８には、光電素子５１を収納するポケット６０が設けられている。ポケット６０は、透光性カバー３１の裏面３８側にて、外周に設けられた第１ファスナー枠３５に接着される補強部材６１と、透光性カバー３１の裏面３８とによって構成されている。
【００４３】
補強部材６１は、透光性カバー３１のカバー正面部３２からカバー湾曲部３３を越えて、カバー延長部３４の途中まで、裏面３８を覆うように形成されている。補強部材６１を第１ファスナー枠３５に接着することで、透光性カバー３１を表側から見た際に、接着面を隠すことができ、外観性を向上させることができる。
【００４４】
なお、実施例では、補強部材を可撓性を有するシートとしたが、これに限定されず、光電素子５１を支持することができれば、板状の部材であっても差し支えない。また、補強部材６１を第１ファスナー枠３５に接着したが、これに限定されず、縫い付けや、締結部材を用いて、取り付けても差し支えない。また、補強部材６１を第１ファスナー枠３５に接着したが、これに限定されず、透光性カバー３１の裏面３８に直接取り付けても差し支えない。
【００４５】
光電素子５１は、腰が弱いフィルム又はシート状素子であり、ポケット６０に差し込まれて、補強部材６１に支持される。光電素子５１が、フィルム又はシート状素子であっても、補強部材６１がカバー延長部３４の途中まで形成されているので、光電素子５１を透光性カバー３１の裏面３８全体にわたって配置することができる。このため、光電素子５１の受光面積を広くし、発電効率を向上させることができる。
【００４６】
次に副物品を収納する保持ネットについて説明する。
図４、図６に示されるように、透光性カバー３１の裏面３８に、補強部材６１が配置され、透光性カバー３１の縁及び補強部材６１の縁を共に第１ファスナー枠３５に挟むことで、補強部材６１が透光性カバー３１に取り付けられる。補強部材６１の凹部２１に対向する面６２に、副物品を保持する保持ネット７１が設けられている。
【００４７】
保持ネット７１は、その上部に小さい副物品を保持する第１保持部７２及び第２保持部７３が設けられ、第１保持部７２及び第２保持部７３の下方に横方向に延びるクッション材７４が設けられ、クッション材７４の下方に大きい副物品を保持する第３保持部７５が設けられている。なお、保持ネット７１は、実施例では、網状のものを使用したが、これに限定されず、布製のであってもよく、第１保持部７２及び第２保持部７３等に副物品を収納することができればよく、ポケット状の部材が取り付いていれば材質は問わない。
【００４８】
補強部材６１の面６２の周縁部に第１粘着部材６３が設けられており、この第１粘着部材６３に、保持ネット７１の裏面に設けた第２粘着部材６４を貼り付けることで、保持ネット７１を補強部材６１に取り付けることができる。なお、第１粘着部材６３及び第２粘着部材６４を繰り返し着脱できる部材とすれば、異なる種類の保持ネット７１容易に交換することができる。また、第１粘着部材６３及び第２粘着部材６４は、重ね合わせることで布同士を留めるテープ式のものであってもよく、さらには、接着部材であっても差し支えない。
【００４９】
なお、シート状の光電素子５１には、ハーネス５２が設けられている。このようなハーネス５２付きのシート状光電素子５１は、所定の大きさのものを安価で入手することができ、本発明によれば、所定の大きさのシート状光電素子５１をそのまま取り付けることができるので、発電装置を備えたスーツケース１０全体としても製造コストを低くすることができる。
【００５０】
以上に述べたスーツケース１０の作用について説明する。
図７に示されるように、外部から矢印のように光りを受けることで、光が透光性カバー３１を通過し、光電素子５１によって発電される。光電素子５１は、外部に露出しておらず、透光性カバー３１に保護されているので、傷が付くことを防止できる。
【００５１】
透光性カバー３１の裏面３８には、光電素子５１が収納されている。保持ネット７１の第２保持部７３にバッテリー７６が保持され、第３保持部７５に携帯端末７７が保持されている。光電素子５１から延びるハーネス５２を携帯端末７７に接続することで、携帯端末７７を充電することができる。また、ハーネス５２をバッテリー７６に接続することで、バッテリー７６を充電することができる。なお、実施例では、大型の携帯端末７７及びバッテリー７６を充電したが、これに限定されず、いわゆるスマートフォンやタブレットと呼ばれる小型の携帯端末であっても差し支えない。
【００５２】
また、透光性カバー３１を閉じた状態で、クッション材７４が、リブ２７に接触している。このため、外部から透光性カバー３１に対して衝撃力が作用し、透光性カバーが内方に凹んでも、クッション材７４及びリブ２７によって、凹みを抑えることができ、副物品７６，７７を保護することができる。
【００５３】
なお、実施例では、凹部２１は樹脂面としたが、これに限定されず、凹部２１に布やクッション材を設けても差し支えない。これにより、副物品に傷が付くことをより防止することができる。また、実施例では、保持ネット７１を補強部材６１に設けたが、これに限定されず、保持ネット７１を凹部２１に設けても差し支えない。これにより、透光性カバー３１の開閉に左右されず、副物品を安定して保持することができる。
【００５４】
次に光電素子５１を差し入れる手順について説明する。
図８に示されるように、スライドファスナー４１を開けて、透光性カバー３１を開く。透光性カバー３１のポケット６０に、実線で示すシート状の光電素子（以下、ソーラーシートという。）５１を矢印のように差し込む。すると、想像線で示すソーラーシート５１は、補強部材６１によって支持される。
【００５５】
また、メンテナンスの際は、想像線で示すソーラーシート５１を、手で抜き取るだけでよい。このように、ソーラーシート５１を工具を使わずに、手だけで挿入及び取り出しができるので、ソーラーシートのメンテナンスを容易にできる。
【００５６】
尚、実施例では、透光性カバー３１の材質を、ポリカーボネートとしたが、これに限定されず、光を通すことができれば他の樹脂でもよく、材質を問わない。また、実施例では、ケース本体１１及び蓋体１２の材質を、ポリカーボネートとしたが、これに限定されず、他の樹脂や、金属製、布製、革製、木製等でもよく、材質は問わない。また、実施例では、スーツケース１０の形状を縦長の箱形状としたが、これに限定されず、横長の箱形状や、縦横長さが同等の箱形状でもよく、物品を収納できれば、スーツケース１０の形状は問わない。
【００５７】
また、実施例では、ソーラーシート５１を１枚だけ、透光性カバー３１の裏面３８に配置したが、これに限定されず、移動していない場合は、伸縮取っ手１３にフックを設け、このフックに予備のソーラーシート５１を掛けて、２枚のソーラーシート５１，５１で発電しても差し支えない。この場合は、伸縮取っ手１３をソーラーシート支持手段として使用することができ、２枚のソーラーシート５１，５１で効率よく発電することができる。
【産業上の利用可能性】
【００５８】
本発明の発電装置は、スーツケースに好適である。
【符号の説明】
【００５９】
１０…  スーツケース
１１…  ケース本体
１２…  蓋体
１２ｂ…正面部
１２ｃ…上縁
１２ｄ…上部延長部
１７…  蓋体の外面
２１…  凹部
２２…  サブヒンジ
２３…  底面
２７…  リブ
３１…  透光性カバー
３８…  透光性カバーの裏面
４１…  スライドファスナー
５１…  光電素子
６０…  ポケット
６１…  補強部材
６２…  凹部に対向する面
７１…  保持ネット
７６…  副物品（バッテリー）
７７…  副物品（携帯端末）
【図１】
0005877221.tif 000002
【図２】
0005877221.tif 000003
【図３】
0005877221.tif 000004
【図４】
0005877221.tif 000005
【図５】
0005877221.tif 000006
【図６】
0005877221.tif 000007
【図７】
0005877221.tif 000008
【図８】
0005877221.tif 000009